(57)【要約】【課題】販促等に用いる印刷物を、販売店毎に設定可能であり、かつ、必要枚数を最小限の時間で印刷することができる印刷装置及び印刷システムを提供することを目的とする。【解決手段】印刷データを保存する印刷データ保存手段と、商品を識別するＩＤと印刷データとを関連付ける関連付け手段と、商品のＩＤを入力するＩＤ入力手段と、上記関連付け手段が、上記入力された商品のＩＤを関連付けている場合に、関連付けられている情報を識別する識別情報を生成する識別情報生成手段と、上記生成した識別情報を記憶管理する識別情報記憶管理手段と、上記識別情報を入力する識別情報入力手段と、上記入力された識別情報に関連付けられている印刷データに基づいて印刷する印刷手段とを有する印刷装置である。【選択図】図１
2009143204.tif 000002
【特許請求の範囲】
【請求項１】
印刷データを保存する印刷データ保存手段と；
商品を識別するＩＤと、印刷データとを関連付ける関連付け手段と；
商品のＩＤを入力するＩＤ入力手段と；
上記関連付け手段が、上記入力された商品のＩＤを関連付けている場合に、関連付けられている情報を識別する識別情報を生成する識別情報生成手段と；
上記生成した識別情報を記憶管理する識別情報記憶管理手段と；
上記識別情報を入力する識別情報入力手段と；
上記入力された識別情報に関連付けられている印刷データに基づいて印刷する印刷手段と；
を有する印刷装置。
【請求項２】
請求項１において、
上記識別情報生成手段は、識別情報を生成する毎に、互いに異なる識別情報を生成する手段であることを特徴とする印刷装置。
【請求項３】
請求項１または請求項２において、
上記識別情報生成手段は、識別情報を発行可能な期間を設定する手段であることを特徴とする印刷装置。
【請求項４】
請求項１〜請求項３のいずれか１項において、
上記識別情報生成手段は、識別情報の有効期限を設定する手段であり、
上記印刷手段は、識別情報の有効期限が過ぎていれば、印刷しない手段であることを特徴とする印刷装置。
【請求項５】
請求項１〜請求項４のいずれか１項において、
印刷が正常に完了した際に、入力された識別情報を、記憶されている識別情報から削除する手段を有することを特徴とする印刷装置。
【請求項６】
印刷データを保存する印刷データ保存手段と、商品を識別するＩＤと印刷データとを関連付ける関連付け手段と、商品のＩＤを入力するＩＤ入力手段と、上記関連付け手段が、上記入力された商品のＩＤを関連付けている場合に、関連付けられている情報を識別する識別情報を生成する識別情報生成手段と、上記生成した識別情報を記憶管理する識別情報記憶管理手段と、上記識別情報を入力する識別情報入力手段と、上記入力された識別情報に関連付けられている印刷データに基づいて印刷する印刷手段とを具備する印刷装置と；
商品ＩＤを上記印刷装置に送信する商品ＩＤ送信手段と；
上記印刷装置が生成した識別情報を受信する識別情報受信手段と；
上記識別情報を受信した際に、受信識別情報を出力する受信識別情報出力手段と；
を有することを特徴とする情報処理装置を備えた情報処理システム。
【請求項７】
印刷データを保存する印刷データ保存手段と、商品を識別するＩＤと印刷データとを関連付ける関連付け手段と、商品のＩＤを入力するＩＤ入力手段と、上記関連付け手段が、上記入力された商品のＩＤを関連付けている場合に、関連付けられている情報を識別する識別情報を生成する識別情報生成手段と、上記生成した識別情報を記憶管理する識別情報記憶管理手段と、上記識別情報を入力する識別情報入力手段と、上記入力された識別情報に関連付けられている印刷データに基づいて印刷する印刷手段とを具備する印刷装置と；
上記印刷装置に保存された画像を含むデータと商品ＩＤを関連付ける手段と；
商品ＩＤを上記印刷装置に送信する商品ＩＤ送信手段と；
上記印刷装置が生成した識別情報を受信する識別情報受信手段と；
上記識別情報を受信した際に受信識別情報を出力する受信識別情報出力手段と；
を有することを特徴とする情報処理システム。
【請求項８】
請求項６または請求項７において、
上記識別情報生成手段は、識別情報を生成する毎に、互いに異なる識別情報を生成する手段であることを特徴とする情報処理システム。
【請求項９】
請求項６または請求項７において、
上記識別情報生成手段は、識別情報を発行可能な期間を設定する手段であることを特徴とする情報処理システム。
【請求項１０】
請求項６〜請求項８のいずれか１項において、
上記識別情報生成手段は、識別情報の有効期限を設定する手段であり、
上記印刷手段は、識別情報の有効期限が過ぎていれば、印刷しない手段であることを特徴とする情報処理システム。
【請求項１１】
印刷データを保存する印刷データ保存工程と；
商品を識別するＩＤと、印刷データとを関連付け、記憶装置に記憶する関連付け工程と；
商品のＩＤを入力し、記憶装置に記憶するＩＤ入力工程と；
上記関連付け工程で、上記入力された商品のＩＤを関連付けている場合に、関連付けられている情報を識別する識別情報を生成し、記憶装置に記憶する識別情報生成工程と；
上記生成した識別情報を記憶管理する識別情報記憶管理工程と；
上記識別情報を入力する識別情報入力工程と；
上記入力された識別情報に関連付けられている印刷データに基づいて印刷する印刷工程と；
を有することを特徴とする印刷装置の制御方法。
【発明の詳細な説明】
【技術分野】
【０００１】
本発明は、印刷データを識別する識別情報を用い、印刷装置に上記識別情報を入力した場合、識別情報に対応する印刷データを印刷する機能を有する印刷装置、及び情報処理システムに関する。
【背景技術】
【０００２】
複写機等の印刷装置において、ハードディスク（以下、「ＨＤＤ」という）等の大容量データ保存媒体を搭載することによって、印刷データを装置内に保存することが可能である。
【０００３】
近年、ＨＤＤの価格低下・印刷装置の機能向上の要求に伴い、ＨＤＤが搭載されることが少なかったインクジェットプリンタのような印刷装置にも、ＨＤＤが搭載され始めている。
【０００４】
とりわけ、インクジェットプリンタの中でも単価が高い大判プリンタのような機器で搭載され始めている。印刷装置内のＨＤＤの搭載によって、ＨＤＤ内に、画像等の印刷データを保存し、後で印刷することが可能である。
【０００５】
また、印刷データを、複数の機種から任意のタイミングで印刷する場合、ホストＰＣから印刷データをネットワーク上のサーバ等に予め送り、その後に、出力したいプリンタに、印刷データのＩＤを入力する。これによって、サーバから受信した印刷データを、プリンタが印刷することが知られている（たとえば、特許文献１参照）。
【０００６】
しかし、プリンタが、サーバから印刷データを取得する場合、ラスター／ベクター等、データの種類に関わらず取得する必要があり、このために時間を要する。とりわけ、大判プリンタ用のラスターデータである場合、容量が大きいので、データを取得するのに時間がかかるという問題がある。
【０００７】
書籍、音楽、ゲーム等の販売店では、商品の販促手段として、たとえばＣＤ購入者に購入ＣＤのアーティスト・ゲームキャラクタ等のポスターをプレゼントする手段が採用されている。販促用ポスターの配布は、たとえば音楽ＣＤを例に取れば、音楽ＣＤの制作会社が印刷業者にまとまった大きい単位（たとえば数千〜数万枚単位）で、ポスターの発注を行い、作成したポスターを全国の音楽ＣＤの販売店.に配布する。
【特許文献１】特開２００２−３５９７０９号公報
【発明の開示】
【発明が解決しようとする課題】
【０００８】
従来の販促物の配布方法では、印刷単位が大きいので、コストがかかり簡単に作成しにくいという問題があり、また、作成しすぎてポスターが無駄になる可能性があるという問題がある。また、販売店にとっては、販促が制作会社に縛られやすいので、他店と差別化し難いという問題がある。
【０００９】
また、これと同様に、販売店にとっては、ある特定のアーティストのＣＤを売りたい・ある期間に、特定のアーティストのＣＤを売りたい等の要望があったとしても、対応が取り難いという問題がある。
【００１０】
さらに、上記従来例では、プリンタが、サーバから印刷データを取得する場合、印刷データの取得時間を要するという問題がある。
【００１１】
本発明は、販促等に用いる印刷物を、販売店毎に設定可能であり、かつ、必要枚数を最小限の時間で印刷することができる印刷装置及び印刷システムを提供することを目的とする。
【課題を解決するための手段】
【００１２】
本発明は、印刷データを保存する印刷データ保存手段と、商品を識別するＩＤと印刷データとを関連付ける関連付け手段と、商品のＩＤを入力するＩＤ入力手段と、上記関連付け手段が、上記入力された商品のＩＤを関連付けている場合に、関連付けられている情報を識別する識別情報を生成する識別情報生成手段と、上記生成した識別情報を記憶管理する識別情報記憶管理手段と、上記識別情報を入力する識別情報入力手段と、上記入力された識別情報に関連付けられている印刷データに基づいて印刷する印刷手段とを有する印刷装置である。
【発明の効果】
【００１３】
本発明によれば、制作会社が大量の印刷物を事前に用意する必要がないので、無駄な印刷を行う必要がなく、販売店は、店舗毎に販促用の印刷物を設定することができる。したがって、販売店は、柔軟な販促戦略を取ることができ、購入者は、短い時間で印刷物を取得できるという効果を奏する。
【発明を実施するための最良の形態】
【００１４】
発明を実施するための最良の形態は，次の実施例である。
【実施例１】
【００１５】
図１は、本発明の実施例１である印刷システムＰＳ１を示す図である。
【００１６】
音楽ＣＤの販売店に、印刷装置１０が設置され、ＣＤ購入者が、レジ端末２０で購入したＣＤの特典画像を、印刷装置１０を用いて印刷する。
【００１７】
印刷システムＰＳ１は、印刷装置１０と、ＰＯＳシステム等のレジ端末２０と、印刷装置とレジ端末２０とを繋ぐ通信回線３０とを有する。
【００１８】
印刷装置１０は、印刷商品ＩＤ入力部１１と、印刷データ記憶部１２と、印刷商品ＩＤ情報記憶部１３と、依頼商品ＩＤ受信部１４と、ワンタイムパスワード管理部１５とを有する。また、印刷装置１０は、ワンタイムパスワード送信部１６と、ワンタイムパスワード入力部１７と、商品画像印刷部１８とを有する。
【００１９】
印刷商品ＩＤ入力部１１は、販促用の画像を印刷する商品のＩＤである印刷商品ＩＤを登録する。実施例１において、印刷商品ＩＤの値は、商品に付けられているバーコードの値である。
【００２０】
印刷商品ＩＤ入力部１１は、印刷商品ＩＤと、印刷データ記憶部１２に予め保存されている印刷データとを関連付ける（紐付けする）。また、ワンタイムパスワードを発行する期間や、ワンタイムパスワードの有効期間を設定する。なお、上記「ワンタイムパスワード」は、画像の印刷権である。
【００２１】
印刷データ記憶部１２は、印刷装置１０内のＨＤＤ等を用いて印刷データを保存する領域であり、実施例１では、ＰＣから受信した印刷データを、印刷データ記憶部１２に予め保存する。
【００２２】
印刷商品ＩＤ情報記憶部１３は、印刷商品ＩＤ情報を記憶する記憶部であり、印刷商品ＩＤ入力部１１に入力された印刷商品ＩＤと、印刷データの関連付情報（紐付け情報）と、ワンタイムパスワード（画像の印刷権）の設定情報とを記憶する。
【００２３】
印刷商品ＩＤ入力部１１と、印刷データ記憶部１２と、印刷商品ＩＤ情報記憶部１３とを用いて、販売店は、販促用の特典画像を設定する対象である商品を、予め設定する。
【００２４】
依頼商品ＩＤ受信部１４は、ＣＤ購入者が、ＣＤをレジ端末２０で購入した際に、レジ端末２０から送られた商品ＩＤを受信する受信部である。この商品ＩＤは、ワンタイムパスワード（画像の印刷権）の発行を依頼するために、ユーザ端末（レジ端末２０）が、印刷装置１０に、発行する。以下では、この商品ＩＤを、依頼商品ＩＤと記載する。
【００２５】
ワンタイムパスワード管理部１５は、ワンタイムパスワードの発行や、発行済みのワンタイムパスワードを管理する。依頼商品ＩＤ受信部１４が依頼商品ＩＤを受信すると、その商品ＩＤが印刷商品ＩＤ情報記憶部１３に登録済みであれば、印刷商品ＩＤであると判断し、ワンタイムパスワードを発行し、発行したワンタイムパスワードを保存する。
【００２６】
ＣＤ購入者が、ワンタイムパスワード入力部１７を介して、ワンタイムパスワードを入力すると、入力したワンタイムパスワードが発行済みであるかどうかを確認する。発行済みであれば、有効期間を確認し、有効期間内であれば、印刷装置内に保存されている画像の位置情報を示す情報である画像の保存先ＰＡＴＨ情報（たとえばＣ：￥ｂｉｎ￥ＣＶＳ￥ａｂｃ．ｊｐｇ）を商品画像印刷部１８に送り、印刷要求を行なう。印刷が成功すれば、発行済みのワンタイムパスワードを削除する。
【００２７】
ワンタイムパスワード送信部１６は、ワンタイムパスワード管理部１５が発行したワンタイムパスワードとワンタイムパスワードの有効期間とをレジ端末２０に送信する。
【００２８】
ワンタイムパスワード入力部１７は、発行されたワンタイムパスワードを入力し、ＣＤ購入者は、ワンタイムパスワードの発行を受け、印刷装置１０のパネル上で、ワンタイムパスワードを入力する。
【００２９】
商品画像印刷部１８は、ワンタイムパスワード管理部１５から送られた保存画像の保存先ＰＡＴＨ情報に基づいて、特典である商品画像を印刷する。印刷した結果、印刷が成功したか、不成功だったかを、ワンタイムパスワード管理部１５に伝える。
【００３０】
ＰＯＳシステム等のレジ端末２０は、商品会計の際に、読み取ったバーコードを、印刷装置１０に、依頼商品ＩＤとして送信し、印刷装置１０からのワンタイムパスワードと有効期限とを受信する。さらに、受信したワンタイムパスワードを、レシートに出力し、ＣＤ購入者に提示する。
【００３１】
印刷システムＰＳ１によって、購入者は、商品の特典画像を印刷することができる。
【００３２】
次に、印刷商品ＩＤ入力部１１を用いて、販売店側が、印刷データと印刷商品ＩＤとを予め関連付ける処理について説明する。
【００３３】
図２は、印刷商品ＩＤ入力部１１を用いて、販売店側が、印刷データと印刷商品ＩＤとを予め関連付ける処理を示すフローチャートである。
【００３４】
Ｓ１で、印刷データ記憶部１２に予め保存されている印刷データを、印刷装置１０のパネル上に表示する。Ｓ２では、Ｓ１で表示された印刷データを、選択し、選択した印刷データと関連付ける印刷商品ＩＤとを入力する。Ｓ３では、Ｓ２で設定した印刷商品ＩＤと印刷データとの組みについて、ワンタイムパスワード（画像の印刷権利）の発行期間を設定する。これによって、たとえば１２月の１ヶ月間のみ等、ある期間内にのみ、ワンタイムパスワードを発行することができる。
【００３５】
Ｓ４では、Ｓ２で設定した印刷商品ＩＤと画像との組みについて、発行したワンタイムパスワード自体の有効期限を設定する。これによって、たとえばワンタイムパスワードを発行してから一週間以内だけ印刷が可能であるように設定することができる。Ｓ５で、印刷商品ＩＤ情報記憶部１３に、Ｓ１、Ｓ２、Ｓ３、Ｓ４で設定した情報を記憶する。
【００３６】
図３は、Ｓ１の処理において、印刷データ記憶部１２に予め保存されている印刷データを、印刷装置１０のパネル上で選択する画面である。
【００３７】
図４は、図２のＳ２の処理において、Ｓ１で選択した印刷データに登録する印刷商品ＩＤを、印刷装置１０のパネル上から入力する画面である。
【００３８】
図５は、Ｓ３の処理において、Ｓ２で設定した印刷商品ＩＤと印刷データとの組みについて、画像の印刷権利であるワンタイムパスワードの発行期間を、印刷装置１０のパネル上で入力する画面を示す図である。
【００３９】
図６は、Ｓ４の処理において、Ｓ２で設定した印刷商品ＩＤと印刷データとの組みについて、ワンタイムパスワード（画像の印刷権利）の有効期限を、印刷装置１０のパネル上で入力する画面を示す図である。
【００４０】
図７は、Ｓ１、Ｓ２、Ｓ３、Ｓ４で設定した情報を、印刷商品ＩＤ情報記憶部１３に記憶する場合におけるデータ構造を示す図である。
【００４１】
Ｓ１で設定した情報は、“選択画像のＰＡＴＨ”として保存され、Ｓ２で設定した情報は、“印刷商品ＩＤ”として保存される。Ｓ３で設定した情報は、“ワンタイムパスワード発行期間”として保存され、Ｓ４で設定した情報は、“発行ワンタイムパスワード有効期限”として保存される。また、印刷商品ＩＤと印刷データとの組み合わせを一意に識別する“関連付けＩＤ”として、ＩＤ付けして記憶する。
【００４２】
次に、レジ端末２０から依頼商品ＩＤを、依頼商品ＩＤ受信部１４が受信したときにおけるワンタイムパスワード管理部１５の処理について説明する。
【００４３】
図８は、レジ端末２０から依頼商品ＩＤを、依頼商品ＩＤ受信部１４が受信したときにおけるワンタイムパスワード管理部１５の処理を示すフローチャートである。
【００４４】
Ｓ１１で、依頼商品ＩＤ受信部１４が受信した依頼商品ＩＤを受け取る。Ｓ１２で、受信した依頼商品ＩＤが、印刷データと関連付けて登録されているかどうかを、印刷商品ＩＤ情報記憶部１３から検索する。登録されていれば、商品ＩＤと画像データとを一意に識別する関連付けＩＤと、ワンタイムパスワードの発行期間とを取得する。
【００４５】
Ｓ１３で、受信した依頼商品ＩＤが登録済みであるかどうかを判定し、登録されていれば、Ｓ１４の処理を行なう。登録されていなければ、Ｓ１８の処理を行なう。Ｓ１４で、依頼商品ＩＤを受信した時刻が、ワンタイムパスワードの発行期間内であるかどうかを判定し、期間内であれば、Ｓ１５の処理を行い、そうでなければ、Ｓ１９の処理を行なう。Ｓ１５では、Ｓ１３で依頼商品ＩＤが登録されていると判定されれば、Ｓ１３で取得した関連付けＩＤに基づいて、ワンタイムパスワードを生成する。
【００４６】
図９は、ワンタイムパスワード管理部１５が、発行したワンタイムパスワードを保持するデータ構造例を示す図である。
【００４７】
Ｓ１６では、Ｓ１５で生成したワンタイムパスワードを保存し、データは、図９に示す形で保存される。Ｓ１７では、Ｓ１５で生成したワンタイムパスワードとワンタイムパスワードとの有効期間を、ワンタイムパスワード送信部１６に伝達する。ワンタイムパスワードの通知を受けたワンタイムパスワード送信部１６は、ワンタイムパスワードとその有効期間とを、レジ端末２０へ伝える。
【００４８】
Ｓ１８では、Ｓ１３で登録されていないと判定した場合、依頼された商品ＩＤが未登録であることを、ワンタイムパスワード送信部１６に出力し、レジ端末２０にその旨を伝える。Ｓ１９では、Ｓ１４でワンタイムパスワード発行期間外であると判定すると、発行期間外であることを、ワンタイムパスワード送信部１６に出力し、レジ端末２０にその旨を伝える。
【００４９】
ワンタイムパスワードのデータリストは、印刷商品ＩＤと印刷データとを一意に識別する“関連付けＩＤ”と、発行したワンタイムパスワードを保管する“発行済みワンタイムパスワードリスト”とを有する。また、ワンタイムパスワードのデータリストは、発行したワンタイムパスワードの発行日を保管する“ワンタイムパスワード発行日時”との項目を有する。
【００５０】
次に、Ｓ１５におけるワンタイムパスワード発行の処理について説明する。
【００５１】
図１０は、Ｓ１５におけるワンタイムパスワード発行の処理を示すフローチャートである。
【００５２】
Ｓ２１で、５桁の乱数を発生させる。Ｓ２２で、６桁目以上を、Ｓ１２で取得した関連付けＩＤとし、５桁目までを、Ｓ２１で発生させた乱数とする文字列を作成する。たとえば、関連付けＩＤが“１１”であり、発生させた乱数が“３５”であれば、文字列が、“１１０００３５”になるように作成する。
【００５３】
Ｓ２３では、Ｓ２２で作成した文字列が、既に登録済みであるかどうかを、図９に示すワンタイムパスワードの保存データリストに基づいて判断する。Ｓ２４では、Ｓ２３で検索した結果、文字列が登録されているかどうかを判断し、文字列が登録されていれば、すでに同じワンタイムパスワードが存在するので、別のワンタイムパスワードを発行する必要がある。したがって、Ｓ２１の処理を再度実行し、文字列が登録されていなければ、新たなワンタイムパスワードとして登録するために、Ｓ２５の処理を実行するように、処理を分岐する。生成した文字列が登録されていなければ、Ｓ２５で、生成した文字列をワンタイムパスワードとし、処理を終了する。
【００５４】
図１１は、レジ端末２０が、Ｓ１７の処理によってワンタイムパスワード送信部１６から、ワンタイムパスワードの発行を受けたときに、ワンタイムパスワードを購入者に伝える手段として用いる購入物のレシートを示す図である。
【００５５】
レシート中に、“印刷Ｎｕｍｂｅｒ”としてワンタイムパスワードを記載し、“有効期限”として、ワンタイムパスワードの有効期間から計算される期日が記載される。
【００５６】
次に、印刷装置１０のワンタイムパスワード入力部１７で、ワンタイムパスワードをＣＤ購入者が入力しときに、ワンタイムパスワード管理部１５の処理について説明する。
【００５７】
図１２は、印刷装置１０のワンタイムパスワード入力部１７で、ワンタイムパスワードをＣＤ購入者が入力したときに、ワンタイムパスワード管理部１５の処理を示すフローチャートである。
【００５８】
Ｓ３１で、ワンタイムパスワード入力部１７を介して、購入者が、ワンタイムパスワードをＣＤ入力したときに、入力ワンタイムパスワードを読み込む。Ｓ３２で、入力されたワンタイムパスワードから、関連付けＩＤを取得する。関連付けＩＤは、Ｓ１５で生成されたフォーマットに従い、ワンタイムパスワードの６桁目以降である。
【００５９】
Ｓ３３では、Ｓ３２で取得した関連付けＩＤが、印刷商品ＩＤ情報記憶部１３に登録されているかどう調べ、登録されていれば、Ｓ３４の処理を実行し、登録されていなければ、Ｓ４２の処理を実行する。Ｓ３４では、Ｓ３２で取得した関連付けＩＤに関して、発行ワンタイムパスワードの有効期間を、印刷商品ＩＤ情報記憶部１３から取得する。
【００６０】
Ｓ３５では、関連付けＩＤと入力されたワンタイムパスワードとをキーとし、入力されたワンタイムパスワードが、ワンタイムパスワード管理部１５が持つ発行済みワンタイムパスワードのデータリストに登録されているかどうかを調べる。Ｓ３６では、Ｓ３５で入力されたワンタイムパスワードが登録されていると判断すれば、Ｓ３７の処理を実行し、未登録であると判断すれば、Ｓ４２の処理を実行する。
【００６１】
Ｓ３７で、入力されたワンタイムパスワードの発行日を、ワンタイムパスワード管理部１５が持つ発行済みワンタイムパスワードのデータリストから、取得する。Ｓ３８では、Ｓ３４で取得したワンタイムパスワードの有効期限とＳ３７で取得した入力したワンタイムパスワードの発行日とを比較し、有効期間内であるかどうかを判断する。期間内であると判断すると、Ｓ３９の処理を実行し、期間外であると判断すれば、Ｓ４３の処理を実行する。
【００６２】
Ｓ３９で、入力されたワンタイムパスワードと関連付けられている印刷データの印刷装置１０内における保存ＰＡＴＨを、印刷商品ＩＤ情報記憶部１３から取得し、この取得した保存ＰＡＴＨを、商品画像印刷部１８に渡す。印刷データの保存先ＰＡＴＨ情報を渡された商品画像印刷部１８は、保存先ＰＡＴＨ情報に基づいて、データを印刷する。
【００６３】
Ｓ４０では、Ｓ３９で印刷が成功したかどうかを判断し、印刷が成功していれば、Ｓ４１の処理を実行し、印刷が失敗していれば、Ｓ４４の処理を実行する。Ｓ４１では、入力されたワンタイムパスワードに関連付けられている印刷データの印刷が成功した。したがって、ワンタイムパスワード管理部１５が持つ発行済みワンタイムパスワードのデータリストから入力されたワンタイムパスワードを削除する。削除後は、そのワンタイムパスワードを入力しても、印刷できなくなる。
【００６４】
Ｓ４２で、入力されたワンタイムパスワードについて、Ｓ３３で関連付けＩＤが登録されていないと判断されると、または、Ｓ３６でワンタイムパスワードが登録されていないと判断されると、次の表示を行う。つまり、入力されたワンタイムパスワードが正しくないことを、パネルに表示する。Ｓ４３では、入力されたワンタイムパスワードについて、Ｓ３８で有効期間外であると判断されると、入力されたワンタイムパスワードの有効期限が過ぎていることをパネルに表示する。
【００６５】
Ｓ４４では、入力されたワンタイムパスワードと関連付けられている画像の印刷処理が失敗すると、印刷に失敗したことをパネルに表示し、処理を終える。
【００６６】
図１３は、ワンタイムパスワード入力部１７がパネル上に表示する画面を示す図である。
【００６７】
図１３が示すパネル上に表示する画面は、顧客にワンタイムパスワードの入力を行なわせる画面である。
【００６８】
つまり、上記実施例は、印刷データを保存する印刷データ保存手段と、商品を識別するＩＤと、印刷データとを関連付ける関連付け手段と、商品のＩＤを入力するＩＤ入力手段とを有する。また、上記実施例は、上記関連付け手段が、上記入力された商品のＩＤを関連付けている場合に、関連付けられている情報を識別する識別情報を生成する識別情報生成手段と、上記生成した識別情報を記憶管理する識別情報記憶管理手段とを有する。さらに、上記実施例は、上記識別情報を入力する識別情報入力手段と、上記入力された識別情報に関連付けられている印刷データに基づいて印刷する印刷手段とを有する印刷装の例である。
【００６９】
この場合、上記識別情報生成手段は、識別情報を生成する毎に、互いに異なる識別情報を生成する手段である。また、上記識別情報生成手段は、識別情報を発行可能な期間を設定する手段である。さらに、上記識別情報生成手段は、識別情報の有効期限を設定する手段であり、上記印刷手段は、識別情報の有効期限が過ぎていれば、印刷しない手段である。しかも、印刷が正常に完了した際に、入力された識別情報を、記憶されている識別情報から削除する手段を有する。
【００７０】
また、上記実施例は、上記印刷装置と、商品ＩＤを上記印刷装置に送信する商品ＩＤ送信手段と、上記印刷装置が生成した識別情報を受信する識別情報受信手段とを有する。そして、上記実施例は、上記識別情報を受信した際に、受信識別情報を出力する受信識別情報出力手段を有する情報処理システムの例である。
【００７１】
さらに、上記実施例は、上記印刷装置と、上記印刷装置内に保存された画像を含むデータと商品ＩＤを関連付ける手段と、商品ＩＤを上記印刷装置に送信する商品ＩＤ送信手段と、上記印刷装置が生成した識別情報を受信する識別情報受信手段とを有する。そして、上記実施例は、上記識別情報を受信した際に受信識別情報を出力する受信識別情報出力手段を有することを特徴とする情報処理システムである。
【００７２】
この場合、上記識別情報生成手段は、識別情報を生成する毎に、互いに異なる識別情報を生成する手段である。また、上記識別情報生成手段は、識別情報を発行可能な期間を設定する手段である。さらに、上記識別情報生成手段は、識別情報の有効期限を設定する手段であり、上記印刷手段は、識別情報の有効期限が過ぎていれば、印刷しない手段である。
【００７３】
また、上記実施例を方法の発明として把握することができる。つまり、上記実施例は、印刷データを保存する印刷データ保存工程と、商品を識別するＩＤと、印刷データとを関連付け、記憶装置に記憶する関連付け工程と、商品のＩＤを入力し、記憶装置に記憶するＩＤ入力工程とを有する。上記実施例は、上記関連付け工程で、上記入力された商品のＩＤを関連付けている場合に、関連付けられている情報を識別する識別情報を生成し、記憶装置に記憶する識別情報生成工程と、上記生成した識別情報を記憶管理する識別情報記憶管理工程とを有する。また、上記実施例は、上記識別情報を入力する識別情報入力工程と、上記入力された識別情報に関連付けられている印刷データに基づいて印刷する印刷工程とを有することを特徴とする印刷装置の制御方法。
【図面の簡単な説明】
【００７４】
【図１】本発明の実施例１である印刷システムＰＳ１を示す図である。
【図２】印刷商品ＩＤ入力部１１を用いて、販売店側が、印刷データと印刷商品ＩＤとを予め関連付ける処理を示すフローチャートである。
【図３】Ｓ１の処理において、印刷データ記憶部１２に予め保存されている印刷データを、印刷装置１０のパネル上で選択する画面である。
【図４】図２のＳ２の処理において、Ｓ１で選択した印刷データに登録する印刷商品ＩＤを、印刷装置１０のパネル上から入力する画面である。
【図５】Ｓ３の処理において、Ｓ２で設定した印刷商品ＩＤと印刷データとの組みについて、画像の印刷権利であるワンタイムパスワードの発行期間を、印刷装置１０のパネル上で入力する画面を示す図である。
【図６】Ｓ４の処理において、Ｓ２で設定した印刷商品ＩＤと印刷データとの組みについて、ワンタイムパスワード（画像の印刷権利）の有効期限を、印刷装置１０のパネル上で入力する画面を示す図である。
【図７】Ｓ１、Ｓ２、Ｓ３、Ｓ４で設定した情報を、印刷商品ＩＤ情報記憶部１３に記憶する場合におけるデータ構造を示す図である。
【図８】レジ端末２０から依頼商品ＩＤを、依頼商品ＩＤ受信部１４が受信したときにおけるワンタイムパスワード管理部１５の処理を示すフローチャートである。
【図９】ワンタイムパスワード管理部１５が、発行したワンタイムパスワードを保持するデータ構造例を示す図である。
【図１０】Ｓ１５におけるワンタイムパスワード発行の処理を示すフローチャートである。
【図１１】レジ端末２０が、Ｓ１７の処理によってワンタイムパスワード送信部１６から、ワンタイムパスワードの発行を受けたときに、ワンタイムパスワードを購入者に伝える手段として用いる購入物のレシートを示す図である。
【図１２】印刷装置１０のワンタイムパスワード入力部１７で、ワンタイムパスワードをＣＤ購入者が入力しときに、ワンタイムパスワード管理部１５の処理を示すフローチャートである。
【図１３】ワンタイムパスワード入力部１７がパネル上に表示する画面を示す図である。
【符号の説明】
【００７５】
ＰＳ１…印刷システム、
１０…印刷装置、
１１…印刷商品ＩＤ入力部、
１２…印刷データ記憶部、
１３…印刷商品ＩＤ情報記憶部、
１４…依頼商品ＩＤ受信部、
１５…ワンタイムパスワード管理部、
１６…ワンタイムパスワード送信部、
１７…ワンタイムパスワード入力部、
１８…商品画像印刷部、
２０…レジ端末。
【図１】
2009143204.tif 000003
【図２】
2009143204.tif 000004
【図３】
2009143204.tif 000005
【図４】
2009143204.tif 000006
【図５】
2009143204.tif 000007
【図６】
2009143204.tif 000008
【図７】
2009143204.tif 000009
【図８】
2009143204.tif 000010
【図９】
2009143204.tif 000011
【図１０】
2009143204.tif 000012
【図１１】
2009143204.tif 000013
【図１２】
2009143204.tif 000014
【図１３】
2009143204.tif 000015